(57)【要約】【課題】利用者数である入場者数若しくは出場者数は、例えば通勤時間帯等には一時的に増減するなど変化する場合があり、入場処理の改札若しくは出場処理の集札をおこなう複数の双方向型自動改札・集札装置の改札を実行する装置と集札を実行する装置の比率は、利用者数の変化に即時に対応することが困難であった。【解決手段】改札及び集札を行った旨の情報から利用者の入場者数の合計と出場者数の合計とを一定の時間間隔で計測し算出した比率に基づいて、改札を行う双方向型自動改札・集札装置の数と集札を行う双方向型自動改札・集札装置の数との比率を、前記算出した入場者数と出場者数の比率の近似の整数値になるように制御することを特徴とする双方向型自動改札・集札システム。【選択図】  図１
2006072862.tif 000002
【特許請求の範囲】
【請求項１】
入場しようとする者から投入若しくは接近・接触されて来る乗車券類に対してその乗車券類が使用可能であるか否かを判別して改札処理を行う改札手段と、出場しようとする者から投入若しくは接近・接触されて来る乗車券類が正しい運賃を支払っているか否か若しくは支払い得るか否かを判別して集札処理を行う集札手段とを備え、その改札手段と集札手段が択一的に作用するように構成された改札・集札手段が備えらた複数の双方向型自動改札・集札装置と、
その複数の双方向型自動改札・集札装置に接続され、各双方向型自動改札・集札装置に対して改札手段若しくは集札手段のいずれを作用させるかをそれぞれ制御することが可能な集中制御装置と、から構成され、
上記複数の双方向型自動改札・集札装置は、それぞれ改札手段を作用させて改札を行う若しくは集札手段を作用させて集札を行ったことにより得られた入場者数及び出場者数の情報を上記集中制御装置に送信し、
上記集中制御装置は、上記それぞれの双方向型自動改札・集札装置より受信した、複数の改札手段を作用させて改札を行う若しくは集札手段を作用させて集札を行うことで得られた入場者数及び出場者数の情報に基づき、一定の時間間隔毎の入場者数の合計と出場者数の合計との比率を算出し、
上記複数の双方向型自動改札・集札装置の改札手段を作用させる台数と集札手段を作用させる台数との比率が、前記一定の時間間隔毎の入場者数の合計と出場者数の合計との比率の近似の整数になるように若しくは近づくように、上記それぞれの双方向型自動改札・集札装置の内の改札手段を作用させるか集札手段を作用させるかを制御することを特徴とする双方向型自動改札・集札システム。
【請求項２】
入場しようとする者から投入若しくは接近・接触されて来る乗車券類に対してその乗車券類が使用可能であるか否かを判別して改札処理を行う改札手段と、出場しようとする者から投入若しくは接近・接触されて来る乗車券類が正しい運賃を支払っているか否か若しくは支払い得るか否かを判別して集札処理を行う集札手段とを備え、その改札手段と集札手段が択一的に作用するように構成された改札・集札手段であって、その改札・集札手段に接続され前記改札・集札手段の制御を行う改札・集札制御手段と、その改札・集札制御手段に接続され情報の送信と受信とを行う通信手段と、が備えらた複数の双方向型自動改札・集札装置と、
その複数の双方向型自動改札・集札装置の各通信手段に接続され情報の送信と受信を行う集中通信手段と、その集中通信手段に接続され制御手段と演算手段と記憶手段を具備し、上記複数の双方向型自動改札・集札装置のそれぞれの改札・集札手段の改札手段若しくは集札手段のいずれを作用させるかをそれぞれ制御することが可能な集中制御手段と、が備えられた集中制御装置と、から構成され、
上記複数の双方向型自動改札・集札装置の改札・集札制御手段は、改札・集札手段の改札手段を作用させて改札を行う若しくは集札手段を作用させて集札を行うことで得られた入場者数及び出場者数の情報を、上記通信手段と上記集中通信手段とを介して、上記集中制御手段に送ると、
上記集中制御手段は、上記それぞれの改札・集札制御手段より受信した、複数の改札手段を作用させて改札を行う若しくは集札手段を作用させて集札を行うことで得られた入場者数及び出場者数の情報から、一定の時間間隔毎若しくは特定の時間間隔毎の入場者数の合計と出場者数の合計との比率を算出し、
上記複数の双方向型自動改札・集札装置の改札手段を作用させる台数と集札手段を作用させる台数との比率が、前記一定の時間間隔毎若しくは特定の時間間隔毎の入場者数の合計と出場者数の合計との比率の近似の整数になる若しくは近づくように、上記それぞれの双方向型自動改札・集札装置に改札手段を作用させるか集札手段を作用させるかを制御する制御情報を、上記集中通信手段と上記通信手段とを介して各改札・集札制御手段に送信し、
前記各改札・集札制御手段は、前記集中制御手段から受信した前記制御情報に基づき、それぞれの改札・集札手段の改札手段を作用させるか若しくは集札手段を作用させるかを制御することにより、
上記複数の双方向型自動改札・集札装置の内の改札手段を作用させる台数と集札手段を作用させる台数との比率を制御する、ことを特徴とする双方向型自動改札・集札システム。
【請求項３】
入場しようとする者から投入若しくは接近・接触されて来る乗車券類に対してその乗車券類が使用可能であるか否かを判別して改札処理を行う改札手段と、出場しようとする者から投入若しくは接近・接触されて来る乗車券類が正しい運賃を支払っているか否か若しくは支払い得るか否かを判別して集札処理を行う集札手段とを備え、その改札手段と集札手段が択一的に作用するように構成された改札・集札手段であって、その改札・集札手段に接続され前記改札・集札手段の制御を行う改札・集札制御手段と、その改札・集札制御手段に接続され情報の送信と受信とを行う通信手段と、が備えらた複数の双方向型自動改札・集札装置と、
その複数の双方向型自動改札・集札装置の各通信手段に接続され情報の送信と受信を行う集中通信手段と、その集中通信手段に接続され制御手段と演算手段と記憶手段を具備し、上記複数の双方向型自動改札・集札装置のそれぞれの改札・集札手段の改札手段若しくは集札手段のいずれを作用させるかをそれぞれ制御することが可能な集中制御手段と、が備えられた集中制御装置と、から構成され、
上記複数の双方向型自動改札・集札装置の改札・集札制御手段は、改札・集札手段の改札手段を作用させて改札を行う若しくは集札手段を作用させて集札を行うことで得られた入場者数及び出場者数の情報を、上記通信手段と上記集中通信手段とを介して、上記集中制御手段に送ると、
上記集中制御手段は、上記それぞれの改札・集札制御手段より受信した、複数の改札手段を作用させて改札を行う若しくは集札手段を作用させて集札を行うことで得られた入場者数及び出場者数の情報から、一定の時間間隔毎若しくは特定の時間間隔毎の入場者数の合計と出場者数の合計との比率を算出し、
上記複数の双方向型自動改札・集札装置の改札手段を作用させる台数と集札手段を作用させる台数との比率が、前記一定の時間間隔毎若しくは特定の時間間隔毎の入場者数の合計と出場者数の合計との比率の近似の整数になる若しくは近づくように、上記それぞれの双方向型自動改札・集札装置に改札手段を作用させるか集札手段を作用させるかを制御する制御情報を、上記集中通信手段と上記通信手段とを介して各改札・集札制御手段に送信し、
前記各改札・集札制御手段は、前記集中制御手段から受信した前記制御情報に基づき、それぞれの改札・集札手段の改札手段を作用させるか若しくは集札手段を作用させるかを制御させることにより、
上記複数の双方向型自動改札・集札装置の内の改札手段を作用させる台数と集札手段を作用させる台数との比率を制御する、ことを特徴とする集中制御装置の制御プログラムを記録したコンピュータ読取り可能な記録媒体。
【請求項４】
入場しようとする者から投入若しくは接近・接触されて来る乗車券類に対してその乗車券類が使用可能であるか否かを判別して改札処理を行う改札手段と、出場しようとする者から投入若しくは接近・接触されて来る乗車券類が正しい運賃を支払っているか否か若しくは支払い得るか否かを判別して集札処理を行う集札手段とを備え、その改札手段と集札手段が択一的に作用するように構成された改札・集札手段であって、その改札・集札手段に接続され前記改札・集札手段の制御を行う改札・集札制御手段と、その改札・集札制御手段に接続され情報の送信と受信とを行う通信手段と、が備えらた複数の双方向型自動改札・集札装置と、
その複数の双方向型自動改札・集札装置の各通信手段に接続され情報の送信と受信を行う集中通信手段と、その集中通信手段に接続され制御手段と演算手段と記憶手段を具備し、上記複数の双方向型自動改札・集札装置のそれぞれの改札・集札手段の改札手段若しくは集札手段のいずれを作用させるかをそれぞれ制御することが可能な集中制御手段と、が備えられた集中制御装置と、から構成され、
上記複数の双方向型自動改札・集札装置の改札・集札制御手段は、改札・集札手段の改札手段を作用させて改札を行う若しくは集札手段を作用させて集札を行うことで得られた入場者数及び出場者数の情報を、上記通信手段と上記集中通信手段とを介して、上記集中制御手段に送ると、
上記集中制御手段は、上記それぞれの改札・集札制御手段より受信した、複数の改札手段を作用させて改札を行う若しくは集札手段を作用させて集札を行うことで得られた入場者数及び出場者数の情報から、一定の時間間隔毎若しくは特定の時間間隔毎の入場者数の合計と出場者数の合計との比率を算出し、
その算出した比率と算出した年月日と時間と曜日との比率情報を上記集中制御手段の記憶手段に記憶させ、且つ、その記憶手段に記憶させた過去の比率情報の中から所望する条件である月毎や日にち毎や曜日毎や時間毎の条件に適する比率である条件比率を読み出し、若しくは過去の比率情報の中から所望する条件である月毎や日にち毎や曜日毎や時間帯毎の条件に適する複数の比率を読み出し、その読み出した複数の比率の平均の比率である平均比率を算出し、
上記複数の双方向型自動改札・集札装置の改札手段を作用させる台数と集札手段を作用させる台数との比率が、前記条件比率若しくは平均比率の近似の整数になる若しくは近づくように、上記それぞれの双方向型自動改札・集札装置に改札手段を作用させるか集札手段を作用させるかを制御する制御情報を、上記集中通信手段と上記通信手段とを介して各改札・集札制御手段に送信し、
前記各改札・集札制御手段は、前記集中制御手段から受信した前記制御情報に基づき、それぞれの改札・集札手段の改札手段を作用させるか若しくは集札手段を作用させるかを制御することにより、
上記複数の双方向型自動改札・集札装置の内の改札手段を作用させる台数と集札手段を作用させる台数との比率を制御する、ことを特徴とする双方向型自動改札・集札システム。
【請求項５】
入場しようとする者から投入若しくは接近・接触されて来る乗車券類に対してその乗車券類が使用可能であるか否かを判別して改札処理を行う改札手段と、出場しようとする者から投入若しくは接近・接触されて来る乗車券類が正しい運賃を支払っているか否か若しくは支払い得るか否かを判別して集札処理を行う集札手段とを備え、その改札手段と集札手段が択一的に作用するように構成された改札・集札手段であって、その改札・集札手段に接続され前記改札・集札手段の制御を行う改札・集札制御手段と、その改札・集札制御手段に接続され情報の送信と受信とを行う通信手段と、が備えらた複数の双方向型自動改札・集札装置と、
その複数の双方向型自動改札・集札装置の各通信手段に接続され情報の送信と受信を行う集中通信手段と、その集中通信手段に接続され制御手段と演算手段と記憶手段を具備し、上記複数の双方向型自動改札・集札装置のそれぞれの改札・集札手段の改札手段若しくは集札手段のいずれを作用させるかをそれぞれ制御することが可能な集中制御手段と、が備えられた集中制御装置と、から構成され、
上記複数の双方向型自動改札・集札装置の改札・集札制御手段は、改札・集札手段の改札手段を作用させて改札を行う若しくは集札手段を作用させて集札を行うことで得られた入場者数及び出場者数の情報を、上記通信手段と上記集中通信手段とを介して、上記集中制御手段に送ると、
上記集中制御手段は、上記それぞれの改札・集札制御手段より受信した、複数の改札手段を作用させて改札を行う若しくは集札手段を作用させて集札を行うことで得られた入場者数及び出場者数の情報から、一定の時間間隔毎若しくは特定の時間間隔毎の入場者数の合計と出場者数の合計との比率を算出し、
その算出した比率と算出した年月日と時間と曜日との比率情報を上記集中制御手段の記憶手段に記憶させ、且つ、その記憶手段に記憶させた過去の比率情報の中から所望する条件である月毎や日にち毎や曜日毎や時間毎の条件に適する比率である条件比率を読み出し、若しくは過去の比率情報の中から所望する条件である月毎や日にち毎や曜日毎や時間帯毎の条件に適する複数の比率を読み出し、その読み出した複数の比率の平均の比率である平均比率を算出し、
上記複数の双方向型自動改札・集札装置の改札手段を作用させる台数と集札手段を作用させる台数との比率が、前記条件比率若しくは平均比率の近似の整数になる若しくは近づくように、上記それぞれの双方向型自動改札・集札装置に改札手段を作用させるか集札手段を作用させるかを制御する制御情報を、上記集中通信手段と上記通信手段とを介して各改札・集札制御手段に送信し、
前記各改札・集札制御手段は、前記集中制御手段から受信した前記制御情報に基づき、それぞれの改札・集札手段の改札手段を作用させるか若しくは集札手段を作用させるかを制御することにより、
上記複数の双方向型自動改札・集札装置の内の改札手段を作用させる台数と集札手段を作用させる台数との比率を制御する、ことを特徴とする集中制御装置の制御プログラムを記録したコンピュータ読取り可能な記録媒体。
【請求項６】
入場しようとする者から投入若しくは接近・接触されて来る乗車券類に対してその乗車券類が使用可能であるか否かを判別して改札処理を行う改札手段と、出場しようとする者から投入若しくは接近・接触されて来る乗車券類が正しい運賃を支払っているか否か若しくは支払い得るか否かを判別して集札処理を行う集札手段とを備え、その改札手段と集札手段が択一的に作用するように構成された改札・集札手段と、その改札・集札手段に接続され前記改札・集札手段の制御を行う改札・集札制御手段と、その改札・集札制御手段に接続され情報の送信と受信とを行う通信手段と、が備えらた複数の双方向型自動改札・集札装置と、
その複数の双方向型自動改札・集札装置の各通信手段に接続され情報の送信と受信を行う集中通信手段と、その集中通信手段に接続され制御手段と演算手段と記憶手段を具備し、上記複数の双方向型自動改札・集札装置のそれぞれの改札・集札手段の改札手段若しくは集札手段のいずれを作用させるかをそれぞれ制御することが可能な集中制御手段と、を備えた集中制御装置の動作方法であって、
上記複数の双方向型自動改札・集札装置の改札・集札制御手段は、改札・集札手段の改札手段を作用させて改札を行う若しくは集札手段を作用させて集札を行うことで得られた入場者数及び出場者数の情報を、上記通信手段と上記集中通信手段とを介して、上記集中制御装置の集中制御手段に送ると、
当該集中制御装置が、上記複数の改札・集札制御手段からの上記入場者数及び出場者数の情報を受信するステップと、
その受信した情報に基づき一定の時間間隔毎若しくは特定の時間間隔毎の入場者数の合計と出場者数の合計との比率を算出するステップと、
上記複数の双方向型自動改札・集札装置の内改札手段を作用させる台数と集札手段を作用させる台数との比率が前記一定の時間間隔毎若しくは特定の時間間隔毎の入場者数の合計と出場者数の合計との比率の近似の整数になる若しくは近づくように、上記それぞれの双方向型自動改札・集札装置に改札手段を作用させるか集札手段を作用させるかをそれぞれ制御する制御情報を、上記集中通信手段と上記通信手段とを介して各改札・集札制御手段に送信するステップと、
を実行する集中制御装置の動作方法。
【請求項７】
動画像を撮影するテレビカメラ手段と、その撮影した画像中の人物の数の検出する画像認識手段と、その検出した人物がどちらの方向に動いているかを示す動きベクトルを検出する動きベクトル検出手段と、を備えた入場者数と出場者数とを検出する入出場者数検出手段を備え、その入出場者数検出手段が検出した入場者数と出場者数との情報を基に、複数の双方向型自動改札・集札装置の内の改札手段を作用させて改札を行うか若しくは集札手段を作用させて集札を行うかをそれぞれ制御することを特徴とする請求項１から請求項６に記載の集中制御装置。
【発明の詳細な説明】
【技術分野】
【０００１】
本発明は、入場の処理を行う改札機能と出場の処理を行う集札機能とを択一的に選択を行う双方向型自動改札・集札装置を複数備え、且つ、その択一的な機能の切替えに対して制御を行う双方向型自動改札・集札の制御装置に関し、特に、前記複数の双方向型自動改札・集札装置を入場者若しくは出場者の数に急激な大きな変化が生じた場合に最も滞りがないように各双方向型自動改札・集札装置のそれぞれの改札機能と集札機能のいずれかを、入場者数と出場者数との比率に基づき自動的に制御を行う双方向型自動改札・集札システムに関する。
【背景技術】
【０００２】
従来の双方向型自動改札・集札装置は、改札口側に設けられた投入口に乗車券類が投入された時に乗車券類の情報を読み取って改札処理を行い、集札口側に設けられた投入口に乗車券類が投入された時に乗車券類の情報を読み取って集札処理を行うものであった（例えば、特許文献１参照。）。従来の双方向型自動改札・集札装置においては、改札と集札はどちらか先に乗車券類が投入される等の処理要求が発生した側の処理を択一的に選択し実行するものである。又、その実行された処理は、処理が終了しても一定時間は保持されるものであった。
尚、この処理要求が発生した側の処理を択一的に選択し実行し選択された処理を一定時間だけ保持ということは、非接触通信機能により乗車券類の情報を読み取る双方向型自動改札・集札装置についても同様であった。
【特許文献１】特開２００１−１０１４５７号公報
【発明の開示】
【発明が解決しようとする課題】
【０００３】
双方向型自動改札・集札装置を利用する人の数について、例えば電車が到着した時や通勤時間などにより、入場者の数と出場者の数の比率に急激に大きな変化が生じる場合がある。
従来技術の双方向型自動改札・集札装置では、改札口側に設けられた投入口に乗車券類が投入された時に改札を行い、集札口側に設けられた投入口に乗車券類が投入された時に集札を行うものであった。双方向型自動改札・集札装置においては、改札若しくは集札のどちらか先に乗車券類が投入された側の処理を択一的に選択し実行するものであり、その選択された処理を一定時間だけ保持するものや、改札若しくは集札の一方向に定められた改札装置若しくは集札装置を組み合わせて利用していた。
このため、利用者の増加によって改札機能若しくは集札機能を作用させる双方向型自動改札・集札装置を急激に増加させる必要がある場合、その増加した側の処理を行う双方向型自動改札・集札装置の数が増えるためには、他方の利用者が一定時間だけ途切れなければならないといった状況が必要であった。
つまり、改札若しくは集札の処理の要求が増加したことにより双方向型自動改札・集札装置の処理が決められるのではなく、他方の利用者が一定時間途切れたことにより双方向型自動改札・集札装置の処理が切替わる機会が発生するものであった。
従って、入場者の数と出場者の数の比率と改札を行う装置と集札を行う装置との比率に大きな差が生じる場合には、一方の処理（機能）に滞りが発生してしまい、結果的に、入場者又は出場者の一方が滞るといった問題があった。
この発明は、上記の事情に鑑みてなされたものであり、実際の入場者数の合計と出場者数の合計との比率に、複数の双方向型自動改札・集札装置の改札機能を作用させる台数と集札機能を作用させる台数との比率を近づけるように双方向型自動改札・集札装置を制御し、結果的に入場者又は出場者の一方が大きく滞ることがない双方向型自動改札・集札システムの提供を目的とする。
【課題を解決するための手段】
【０００４】
本発明は、複数の双方向型自動改札・集札装置を備え、乗車券類利用者の入場者数の合計と出場者数の合計とを一定の時間間隔若しくは特定の時間間隔で計測し、その計測した情報に基づき算出して得られる比率を基に、各双方向型自動改札・集札装置に対して改札機能を作用させるか集札機能を作用させるかを制御手段が制御する構成とした双方向型自動改札・集札システムである。
その詳細は以下に示す。
【０００５】
請求項１に記載の発明は、入場しようとする者から投入若しくは接近・接触されて来る乗車券類に対してその乗車券類が使用可能であるか否かを判別して改札処理を行う改札手段と、出場しようとする者から投入若しくは接近・接触されて来る乗車券類が正しい運賃を支払っているか否か若しくは支払い得るか否かを判別して集札処理を行う集札手段とを備え、その改札手段と集札手段が択一的に作用するように構成された改札・集札手段が備えらた複数の双方向型自動改札・集札装置と、
その複数の双方向型自動改札・集札装置に接続され、各双方向型自動改札・集札装置に対して改札手段若しくは集札手段のいずれを作用させるかをそれぞれ制御することが可能な集中制御装置と、から構成され、
上記複数の双方向型自動改札・集札装置は、それぞれ改札手段を作用させて改札を行う若しくは集札手段を作用させて集札を行ったことにより得られた入場者数及び出場者数の情報を上記集中制御装置に送信し、
上記集中制御装置は、上記それぞれの双方向型自動改札・集札装置より受信した、複数の改札手段を作用させて改札を行う若しくは集札手段を作用させて集札を行うことで得られた入場者数及び出場者数の情報に基づき、一定の時間間隔毎の入場者数の合計と出場者数の合計との比率を算出し、
上記複数の双方向型自動改札・集札装置の改札手段を作用させる台数と集札手段を作用させる台数との比率が、前記一定の時間間隔毎の入場者数の合計と出場者数の合計との比率の近似の整数になるように若しくは近づくように、上記それぞれの双方向型自動改札・集札装置の内の改札手段を作用させるか集札手段を作用させるかを制御することを特徴とする双方向型自動改札・集札システムである。
【０００６】
請求項２に記載の発明は、入場しようとする者から投入若しくは接近・接触されて来る乗車券類に対してその乗車券類が使用可能であるか否かを判別して改札処理を行う改札手段と、出場しようとする者から投入若しくは接近・接触されて来る乗車券類が正しい運賃を支払っているか否か若しくは支払い得るか否かを判別して集札処理を行う集札手段とを備え、その改札手段と集札手段が択一的に作用するように構成された改札・集札手段であって、その改札・集札手段に接続され前記改札・集札手段の制御を行う改札・集札制御手段と、その改札・集札制御手段に接続され情報の送信と受信とを行う通信手段と、が備えらた複数の双方向型自動改札・集札装置と、
その複数の双方向型自動改札・集札装置の各通信手段に接続され情報の送信と受信を行う集中通信手段と、その集中通信手段に接続され制御手段と演算手段と記憶手段を具備し、上記複数の双方向型自動改札・集札装置のそれぞれの改札・集札手段の改札手段若しくは集札手段のいずれを作用させるかをそれぞれ制御することが可能な集中制御手段と、が備えられた集中制御装置と、から構成され、
上記複数の双方向型自動改札・集札装置の改札・集札制御手段は、改札・集札手段の改札手段を作用させて改札を行う若しくは集札手段を作用させて集札を行うことで得られた入場者数及び出場者数の情報を、上記通信手段と上記集中通信手段とを介して、上記集中制御手段に送ると、
上記集中制御手段は、上記それぞれの改札・集札制御手段より受信した、複数の改札手段を作用させて改札を行う若しくは集札手段を作用させて集札を行うことで得られた入場者数及び出場者数の情報から、一定の時間間隔毎若しくは特定の時間間隔毎の入場者数の合計と出場者数の合計との比率を算出し、
上記複数の双方向型自動改札・集札装置の改札手段を作用させる台数と集札手段を作用させる台数との比率が、前記一定の時間間隔毎若しくは特定の時間間隔毎の入場者数の合計と出場者数の合計との比率の近似の整数になる若しくは近づくように、上記それぞれの双方向型自動改札・集札装置に改札手段を作用させるか集札手段を作用させるかを制御する制御情報を、上記集中通信手段と上記通信手段とを介して各改札・集札制御手段に送信し、
前記各改札・集札制御手段は、前記集中制御手段から受信した前記制御情報に基づき、それぞれの改札・集札手段の改札手段を作用させるか若しくは集札手段を作用させるかを制御することにより、
上記複数の双方向型自動改札・集札装置の内の改札手段を作用させる台数と集札手段を作用させる台数との比率を制御する、ことを特徴とする双方向型自動改札・集札システムである。
【０００７】
請求項３に記載の発明は、入場しようとする者から投入若しくは接近・接触されて来る乗車券類に対してその乗車券類が使用可能であるか否かを判別して改札処理を行う改札手段と、出場しようとする者から投入若しくは接近・接触されて来る乗車券類が正しい運賃を支払っているか否か若しくは支払い得るか否かを判別して集札処理を行う集札手段とを備え、その改札手段と集札手段が択一的に作用するように構成された改札・集札手段であって、その改札・集札手段に接続され前記改札・集札手段の制御を行う改札・集札制御手段と、その改札・集札制御手段に接続され情報の送信と受信とを行う通信手段と、が備えらた複数の双方向型自動改札・集札装置と、
その複数の双方向型自動改札・集札装置の各通信手段に接続され情報の送信と受信を行う集中通信手段と、その集中通信手段に接続され制御手段と演算手段と記憶手段を具備し、上記複数の双方向型自動改札・集札装置のそれぞれの改札・集札手段の改札手段若しくは集札手段のいずれを作用させるかをそれぞれ制御することが可能な集中制御手段と、が備えられた集中制御装置と、から構成され、
上記複数の双方向型自動改札・集札装置の改札・集札制御手段は、改札・集札手段の改札手段を作用させて改札を行う若しくは集札手段を作用させて集札を行うことで得られた入場者数及び出場者数の情報を、上記通信手段と上記集中通信手段とを介して、上記集中制御手段に送ると、
上記集中制御手段は、上記それぞれの改札・集札制御手段より受信した、複数の改札手段を作用させて改札を行う若しくは集札手段を作用させて集札を行うことで得られた入場者数及び出場者数の情報から、一定の時間間隔毎若しくは特定の時間間隔毎の入場者数の合計と出場者数の合計との比率を算出し、
上記複数の双方向型自動改札・集札装置の改札手段を作用させる台数と集札手段を作用させる台数との比率が、前記一定の時間間隔毎若しくは特定の時間間隔毎の入場者数の合計と出場者数の合計との比率の近似の整数になる若しくは近づくように、上記それぞれの双方向型自動改札・集札装置に改札手段を作用させるか集札手段を作用させるかを制御する制御情報を、上記集中通信手段と上記通信手段とを介して各改札・集札制御手段に送信し、
前記各改札・集札制御手段は、前記集中制御手段から受信した前記制御情報に基づき、それぞれの改札・集札手段の改札手段を作用させるか若しくは集札手段を作用させるかを制御させることにより、
上記複数の双方向型自動改札・集札装置の内の改札手段を作用させる台数と集札手段を作用させる台数との比率を制御する、ことを特徴とする集中制御装置の制御プログラムを記録したコンピュータ読取り可能な記録媒体である。
【０００８】
請求項４に記載の発明は、入場しようとする者から投入若しくは接近・接触されて来る乗車券類に対してその乗車券類が使用可能であるか否かを判別して改札処理を行う改札手段と、出場しようとする者から投入若しくは接近・接触されて来る乗車券類が正しい運賃を支払っているか否か若しくは支払い得るか否かを判別して集札処理を行う集札手段とを備え、その改札手段と集札手段が択一的に作用するように構成された改札・集札手段であって、その改札・集札手段に接続され前記改札・集札手段の制御を行う改札・集札制御手段と、その改札・集札制御手段に接続され情報の送信と受信とを行う通信手段と、が備えらた複数の双方向型自動改札・集札装置と、
その複数の双方向型自動改札・集札装置の各通信手段に接続され情報の送信と受信を行う集中通信手段と、その集中通信手段に接続され制御手段と演算手段と記憶手段を具備し、上記複数の双方向型自動改札・集札装置のそれぞれの改札・集札手段の改札手段若しくは集札手段のいずれを作用させるかをそれぞれ制御することが可能な集中制御手段と、が備えられた集中制御装置と、から構成され、
上記複数の双方向型自動改札・集札装置の改札・集札制御手段は、改札・集札手段の改札手段を作用させて改札を行う若しくは集札手段を作用させて集札を行うことで得られた入場者数及び出場者数の情報を、上記通信手段と上記集中通信手段とを介して、上記集中制御手段に送ると、
上記集中制御手段は、上記それぞれの改札・集札制御手段より受信した、複数の改札手段を作用させて改札を行う若しくは集札手段を作用させて集札を行うことで得られた入場者数及び出場者数の情報から、一定の時間間隔毎若しくは特定の時間間隔毎の入場者数の合計と出場者数の合計との比率を算出し、
その算出した比率と算出した年月日と時間と曜日との比率情報を上記集中制御手段の記憶手段に記憶させ、且つ、その記憶手段に記憶させた過去の比率情報の中から所望する条件である月毎や日にち毎や曜日毎や時間毎の条件に適する比率である条件比率を読み出し、若しくは過去の比率情報の中から所望する条件である月毎や日にち毎や曜日毎や時間帯毎の条件に適する複数の比率を読み出し、その読み出した複数の比率の平均の比率である平均比率を算出し、
上記複数の双方向型自動改札・集札装置の改札手段を作用させる台数と集札手段を作用させる台数との比率が、前記条件比率若しくは平均比率の近似の整数になる若しくは近づくように、上記それぞれの双方向型自動改札・集札装置に改札手段を作用させるか集札手段を作用させるかを制御する制御情報を、上記集中通信手段と上記通信手段とを介して各改札・集札制御手段に送信し、
前記各改札・集札制御手段は、前記集中制御手段から受信した前記制御情報に基づき、それぞれの改札・集札手段の改札手段を作用させるか若しくは集札手段を作用させるかを制御することにより、
上記複数の双方向型自動改札・集札装置の内の改札手段を作用させる台数と集札手段を作用させる台数との比率を制御する、ことを特徴とする双方向型自動改札・集札システムである。
【０００９】
請求項５に記載の発明は、入場しようとする者から投入若しくは接近・接触されて来る乗車券類に対してその乗車券類が使用可能であるか否かを判別して改札処理を行う改札手段と、出場しようとする者から投入若しくは接近・接触されて来る乗車券類が正しい運賃を支払っているか否か若しくは支払い得るか否かを判別して集札処理を行う集札手段とを備え、その改札手段と集札手段が択一的に作用するように構成された改札・集札手段であって、その改札・集札手段に接続され前記改札・集札手段の制御を行う改札・集札制御手段と、その改札・集札制御手段に接続され情報の送信と受信とを行う通信手段と、が備えらた複数の双方向型自動改札・集札装置と、
その複数の双方向型自動改札・集札装置の各通信手段に接続され情報の送信と受信を行う集中通信手段と、その集中通信手段に接続され制御手段と演算手段と記憶手段を具備し、上記複数の双方向型自動改札・集札装置のそれぞれの改札・集札手段の改札手段若しくは集札手段のいずれを作用させるかをそれぞれ制御することが可能な集中制御手段と、が備えられた集中制御装置と、から構成され、
上記複数の双方向型自動改札・集札装置の改札・集札制御手段は、改札・集札手段の改札手段を作用させて改札を行う若しくは集札手段を作用させて集札を行うことで得られた入場者数及び出場者数の情報を、上記通信手段と上記集中通信手段とを介して、上記集中制御手段に送ると、
上記集中制御手段は、上記それぞれの改札・集札制御手段より受信した、複数の改札手段を作用させて改札を行う若しくは集札手段を作用させて集札を行うことで得られた入場者数及び出場者数の情報から、一定の時間間隔毎若しくは特定の時間間隔毎の入場者数の合計と出場者数の合計との比率を算出し、
その算出した比率と算出した年月日と時間と曜日との比率情報を上記集中制御手段の記憶手段に記憶させ、且つ、その記憶手段に記憶させた過去の比率情報の中から所望する条件である月毎や日にち毎や曜日毎や時間毎の条件に適する比率である条件比率を読み出し、若しくは過去の比率情報の中から所望する条件である月毎や日にち毎や曜日毎や時間帯毎の条件に適する複数の比率を読み出し、その読み出した複数の比率の平均の比率である平均比率を算出し、
上記複数の双方向型自動改札・集札装置の改札手段を作用させる台数と集札手段を作用させる台数との比率が、前記条件比率若しくは平均比率の近似の整数になる若しくは近づくように、上記それぞれの双方向型自動改札・集札装置に改札手段を作用させるか集札手段を作用させるかを制御する制御情報を、上記集中通信手段と上記通信手段とを介して各改札・集札制御手段に送信し、
前記各改札・集札制御手段は、前記集中制御手段から受信した前記制御情報に基づき、それぞれの改札・集札手段の改札手段を作用させるか若しくは集札手段を作用させるかを制御することにより、
上記複数の双方向型自動改札・集札装置の内の改札手段を作用させる台数と集札手段を作用させる台数との比率を制御する、ことを特徴とする集中制御装置の制御プログラムを記録したコンピュータ読取り可能な記録媒体である。
【００１０】
請求項６に記載の発明は、入場しようとする者から投入若しくは接近・接触されて来る乗車券類に対してその乗車券類が使用可能であるか否かを判別して改札処理を行う改札手段と、出場しようとする者から投入若しくは接近・接触されて来る乗車券類が正しい運賃を支払っているか否か若しくは支払い得るか否かを判別して集札処理を行う集札手段とを備え、その改札手段と集札手段が択一的に作用するように構成された改札・集札手段と、その改札・集札手段に接続され前記改札・集札手段の制御を行う改札・集札制御手段と、その改札・集札制御手段に接続され情報の送信と受信とを行う通信手段と、が備えらた複数の双方向型自動改札・集札装置と、
その複数の双方向型自動改札・集札装置の各通信手段に接続され情報の送信と受信を行う集中通信手段と、その集中通信手段に接続され制御手段と演算手段と記憶手段を具備し、上記複数の双方向型自動改札・集札装置のそれぞれの改札・集札手段の改札手段若しくは集札手段のいずれを作用させるかをそれぞれ制御することが可能な集中制御手段と、を備えた集中制御装置の動作方法であって、
上記複数の双方向型自動改札・集札装置の改札・集札制御手段は、改札・集札手段の改札手段を作用させて改札を行う若しくは集札手段を作用させて集札を行うことで得られた入場者数及び出場者数の情報を、上記通信手段と上記集中通信手段とを介して、上記集中制御装置の集中制御手段に送ると、
当該集中制御装置が、上記複数の改札・集札制御手段からの上記入場者数及び出場者数の情報を受信するステップと、
その受信した情報に基づき一定の時間間隔毎若しくは特定の時間間隔毎の入場者数の合計と出場者数の合計との比率を算出するステップと、
上記複数の双方向型自動改札・集札装置の内改札手段を作用させる台数と集札手段を作用させる台数との比率が前記一定の時間間隔毎若しくは特定の時間間隔毎の入場者数の合計と出場者数の合計との比率の近似の整数になる若しくは近づくように、上記それぞれの双方向型自動改札・集札装置に改札手段を作用させるか集札手段を作用させるかをそれぞれ制御する制御情報を、上記集中通信手段と上記通信手段とを介して各改札・集札制御手段に送信するステップと、
を実行する集中制御装置の動作方法である。
【００１１】
請求項７に記載の発明は、動画像を撮影するテレビカメラ手段と、その撮影した画像中の人物の数の検出する画像認識手段と、その検出した人物がどちらの方向に動いているかを示す動きベクトルを検出する動きベクトル検出手段と、を備えた入場者数と出場者数とを検出する入出場者数検出手段を備え、その入出場者数検出手段が検出した入場者数と出場者数との情報を基に、複数の双方向型自動改札・集札装置の内の改札手段を作用させて改札を行うか若しくは集札手段を作用させて集札を行うかをそれぞれ制御することを特徴とする請求項１から請求項６に記載の集中制御装置である。
【発明の効果】
【００１２】
本発明は、改札や集札を利用する人数は電車が到着した時や通勤時間帯等によって入場者数の急激な変化若しくは出場者数の急激な変化が一時的に発生した場合に、利用者の入場者数の合計と出場者数の合計とを一定時間の間隔若しくは特定の時間間隔で計測し算出した比率、若しくは過去に記録した入場者数の合計と出場者数の合計を一定時間の間隔若しくは特定の時間間隔で計測し算出した比率の情報の中から、所望する条件に最適な比率情報の記録から読み出した比率に、改札を行う双方向型自動改札・集札装置の台数と集札を行う方向改札・集札装置の台数との比率を近づけて、利用者の少ない側の双方向型自動改札・集札装置を利用者の多い側の処理に切り替えるように構成したことにより、入場処理である改札と出場処理である集札を最も効率良く処理することが可能になり、利用者のうちで入場者又は出場者のいずれか一方だけが大きく滞るということがなく、全体として改札と集札が効率よく行われ得る双方向型自動改札・集札システムを実現できる。
【発明を実施するための最良の形態】
【００１３】
双方向型自動改札・集札装置に通信手段と集中制御装置とを追加して、その通信手段を介して双方向型自動改札・集札装置の処理した情報を基に制御する集中制御装置が、複数の双方向型自動改札・集札装置をそれぞれ制御することにより実現できる。
【実施例】
【００１４】
以下に、本発明の実施の形態例を詳細に説明する。しかし、この実施の形態例によって、この発明が限定されるものではない。理解を促進するために、最初に図面について簡単に説明を行う。
図１は、本発明に係る実施の形態例の双方向型自動改札・集札システムの構成を説明するブロック図である。
図２は、図１に示す双方向型自動改札・集札システムの実施の形態例の双方向型自動改札・集札装置を示す斜視図である。
図３は、図１に示す双方向型自動改札・集札システムの実施の形態例の双方向型自動改札・集札装置の構成を説明するブロック図である。
図４は、図１に示す双方向型自動改札・集札システムの実施の形態例の３対３の比率を保持する場合の動作を説明するフローチャートである。
図５は、図１に示す双方向型自動改札・集札システムの実施の形態例の４対２の比率に切り替わる場合の動作を説明するフローチャートである。
図６は、本発明の他の実施の形態例の構成を説明する図１相当図である。
【００１５】
双方向型自動改札・集札システム１０は、図１に示すように、６台の双方向型自動改札・集札装置２０、２０Ａ、２０Ｂ、２０Ｃ、２０Ｄ及び２０Ｅと、集中制御装置６０とが備えられている。
双方向型自動改札・集札システム１０の詳細な構成について以下に説明する。尚、その他に電源部等があるが本説明では省略する。又、それぞれの双方向型自動改札・集札装置２０、２０Ａ、２０Ｂ、２０Ｃ、２０Ｄ及び２０Ｅは同一構成であるため、双方向型自動改札・集札装置の詳細は双方向型自動改札・集札装置２０を例に説明する。
【００１６】
双方向型自動改札・集札装置２０、２０Ａ、２０Ｂ、２０Ｃ、２０Ｄ及び２０Ｅは、入場しようとする者の乗車券類を改札する機能と出場しようとする者の乗車券類を集札する機能を択一的に選択し行うものである。
又、双方向型自動改札・集札装置２０、２０Ａ、２０Ｂ、２０Ｃ、２０Ｄ及び２０Ｅは、磁気券からなる乗車券類や無線通信機能を備えた非接触券や非接触端末の乗車券類も処理できる様に構成されている。尚、乗車券類とは具体的に、乗車に要する情報である乗車区間、利用可能期間、入場場所、出場場所、あらかじめ利用可能な運賃情報、等を記録した磁気券若しくは、無線通信機能を備えた非接触券、非接触端末からなる切符、定期券、プリペードカード、等を意味する。
【００１７】
双方向型自動改札・集札装置２０は、図２及び図３に示すような構成となっており、改札・集札手段３０と、その改札・集札手段３０に接続された改札・集札制御手段４０と、その改札・集札制御手段４０に接続された通信手段５０とから構成される。
改札・集札手段３０は、磁気券改札手段３１と、磁気券集札手段３２と、開閉駆動手段３３と、改札通信手段３４と、集札通信手段３５と、チャイム（図示省略）若しくはスピーカー（図示省略）と表示手段（図示省略）とが、ぞれが改札・集札制御手段４０の制御手段４２に接続されている。
又筐体には、磁気券改札手段３１が改札を行うための乗車券を投入する投入口２１及び投入された乗車券を利用者へ返却する取出口（図示省略）と、磁気券集札手段３２が集札を行うための乗車券を投入する投入口２３及び投入された乗車券を利用者へ返却する取出口（図示省略）と、改札通信手段３４が非接触券の改札を行うためその非接触券と交信するためのアンテナ手段２２と、集札通信手段３５が集札を行うため非接触券と交信するためのアンテナ手段２４と、利用者の通過を阻止する阻止部材２５、２６と、利用者に音若しくは表示にて警告等メッセージを伝えるための行うチャイム（図示省略）若しくはスピーカー（図示省略）と表示手段（図示省略）が備えられている。
【００１８】
改札・集札手段３０は、改札用の投入口２１に乗車券類が投入された時に改札機能が改札の処理を開始すると同時に、集札機能が集札の処理が開始されるのを禁止と集札側利用者へ利用禁止の警告を行い、同様に集札用の投入口２３に乗車券類が投入された時に集札機能が集札の処理を開始すると同時に、改札機能が改札の処理が開始されるのを禁止と改札側利用者へ利用禁止の警告を行う、改札若しくは集札を択一的に実行する双方向の改札・集札手段である。尚非接触券の場合も同様に、先に非接触券との通信により改札の処理を開始した場合は集札の通信の禁止と集札側利用者へ利用禁止の警告を行い、同様に先に非接触券との通信により集札処理を開始した場合は改札の通信の禁止と改札側利用者へ利用禁止の警告を行う、改札若しくは集札を択一的に実行する改札・集札手段である。
【００１９】
磁気券改札手段３１は、乗車券を検出する検出手段（図示省略）と乗車券の投入を禁止する開閉手段（図示省略）と投入された乗車券類を搬送する搬送手段（図示省略）と磁気券の情報を読取りと情報を書込むことが可能な磁気券読取り手段（図示省略）を備える。
【００２０】
磁気券集札手段３２は、乗車券を検出する検出手段（図示省略）と乗車券の投入を禁止する開閉手段（図示省略）と投入された乗車券類を搬送する搬送手段（図示省略）と磁気券の情報を読取りと情報を書込むことが可能な磁気券読取り手段（図示省略）を備える。
【００２１】
開閉駆動手段３３は、利用者の通過を阻止する阻止部材２５、２６を駆動する。
【００２２】
改札通信手段３４は、非接触券類の改札を行うためその非接触券類と交信するためのアンテナ手段２２を備え、非接触券類の内容を読み取り、その読み取った情報を制御手段４２へ送信し、さらに制御手段４２からの情報を非接触券類に書き込むことが可能な物である。
【００２３】
集札通信手段３５は、非接触券類の集札を行うためその非接触券類と交信するためのアンテナ手段２４を備え、非接触券類の内容を読み取り、その読み取った情報を制御手段４２へ送信し、さらに制御手段４２からの情報を非接触券類に書き込むことが可能な物である。
【００２４】
改札・集札制御手段４０は、前記改札・集札手段３０の磁気券改札手段３１と磁気券集札手段３２と開閉駆動手段３３と改札通信手段３４と集札通信手段３５とチャイム（図示省略）若しくはスピーカー（図示省略）と表示手段（図示省略）とに接続され、それらを制御する制御手段４２と、その制御手段４２に接続され、その制御手段４２の制御により演算を行う演算手段４１と、前記制御手段４２に接続され、改札と集札を行うための情報やプログラムの記憶と読み出しを行う記憶手段４３と、が備えられている。
【００２５】
通信手段５０は、改札・集札制御手段４０の制御手段４２と集中制御装置６０の集中通信手段７０との間に介在され、改札・集札制御手段４０と集中通信手段７０との間で情報の送信と受信を行うものである。
【００２６】
尚、双方向型自動改札・集札装置２０、２０Ａ、２０Ｂ、２０Ｃ、２０Ｄ及び２０Ｅはそれぞれ、互いに独立して機能するように構成されている。又、それらは、それぞれ通信手段５０、５０Ａ、５０Ｂ、５０Ｃ、５０Ｄ及び５０Ｅを介して集中制御装置６０に接続されている。つまり、双方向型自動改札・集札装置２０、２０Ａ、２０Ｂ、２０Ｃ、２０Ｄ及び２０Ｅは互いに独立して機能し、集中制御装置６０との情報の送信と受信と、集中制御装置６０からの制御情報により制御される構成になっている。
【００２７】
集中制御装置６０は、双方向型自動改札・集札装置２０、２０Ａ、２０Ｂ、２０Ｃ、２０Ｄ及び２０Ｅのそれぞれの改札の機能を実行させるか若しくは集札の機能を実行させるかを、入場者と出場者の比率に基づき制御するものである。
集中制御装置６０は、双方向型自動改札・集札装置２０、２０Ａ、２０Ｂ、２０Ｃ、２０Ｄ及び２０Ｅのそれぞれ対応する通信手段５０、５０Ａ、５０Ｂ、５０Ｃ、５０Ｄ及び５０Ｅに接続された集中通信手段７０と、集中通信手段７０に接続された集中制御手段８０とが備えられている。
さらに集中制御手段８０は、制御手段１００と、その制御手段１００に接続された演算手段９０と、前記制御手段１００に接続された記憶手段１１０とから構成されている。
【００２８】
集中通信手段７０は、双方向型自動改札・集札装置２０、２０Ａ、２０Ｂ、２０Ｃ、２０Ｄ及び２０Ｅのそれぞれの通信手段５０、５０Ａ、５０Ｂ、５０Ｃ、５０Ｄ及び５０Ｅと集中制御手段８０の制御手段１００との間に介在され、それぞれの双方向型自動改札・集札装置のそれぞれの通信手段と制御手段１００との間で情報の送信と受信を行うものである。
【００２９】
制御手段１００は、前記集中通信手段７０と演算手段９０と記憶手段１１０とに接続され、集中通信手段７０を制御して双方向型自動改札・集札装置との情報の受信若しくは送信を行い、演算手段９０を制御して演算を行い、さらに記憶手段１１０に情報やプログラムの書き込みと読み出しの制御を行うものである。
【００３０】
演算手段９０は、制御手段１００に接続され制御手段１００からの制御に基づき、情報の演算を行うものである。
【００３１】
記憶手段１１０は、制御手段１００に接続され、制御手段１００からの制御に基づき、情報の書き込みと記憶した情報やプログラムの読み出しとを行うものである。
【００３２】
ここで改札機能と集札機能は、周知の事実であるが簡単に説明する。先ず、双方向型自動改札・集札装置２０の改札機能を以下に簡単に説明する。先ず入場側の投入口２１に乗車券類を投入すると、乗車券類の投入を検出した磁気券改札手段３１の検出手段の情報を制御手段４２に送信し、その情報により制御手段４２は磁気券改札手段３１の搬送手段を制御して磁気券読取り手段へ乗車券類を搬送するように磁気券改札手段３１を制御する命令信号を出力する。さらに集札側の磁気券集札手段３２の投入口２３への乗車券類の投入の禁止のための開閉手段を閉じる制御と、集札禁止の警告を表示手段にて行う制御を行い、さらに集札通信手段３５に非接触券との通信を禁止する制御を行う。
【００３３】
磁気券改札手段３１の搬送手段は、前記制御手段４２からの制御命令に従い、投入口２１から磁気券読取り手段へ乗車券類を搬送する。さらに、集札側の開閉手段は投入口２３を閉じ、表示手段は集札禁止の警告を行い、集札通信手段３５は、非接触券との通信を行わない用に作用する。
【００３４】
磁気券改札手段３１の磁気券読取り手段は、搬送手段により搬送されてきた前記乗車券類の情報を読み取り、その読み取った情報を制御手段４２へ送信する。
【００３５】
制御手段４２は、前記磁気券読取り手段から受信した前記乗車券類の情報から、定期券であれば利用可能区間が適しているか否かの判断、プリペイドカードであれば乗車区間に対応する最低料金が確保されているか否か等の判断を行い、入場若しくは乗車が可能であると判断し、さらに入場した情報を書き込むための命令の信号を磁気券読取り手段に出力し、正常に処理が終了したか否かの判断を行い入場が可能であると判断すると、制御手段４２が開閉駆動手段３３に開閉部材を開状態に保つように命令信号を出力する。
他方、乗車券類が利用可能区間でない場合と、プリペイドカードで残金が引き落とすべき金額に満たない場合等の入場若しくは乗車が可能でないと判断すると、制御手段４２が開閉駆動手段３３に開閉部材を閉状態にするように命令信号を出力する。
【００３６】
従って入場しようとした者に対して、その乗車券類が入場若しくは乗車が可能であると判断された場合、乗車券類である切符は取出口から排出される。他方、その乗車券類が入場若しくは乗車が不可能であると判断された場合、乗車券類である切符は取出口から排出され、且つ、開閉部材が閉状態になるのでホームの側に入場することはできず、その乗車券類が使用に不適当である旨がチャイムや表示手段で知らされる。
【００３７】
同様に、双方向型自動改札・集札装置２０に無線通信手段を備えた非接触券、非接触端末の乗車券類を、改札通信手段３４のアンテナ２２に接近させるか接触させると、その接近又は接触された非接触券の乗車券類の内容を改札通信手段３４が読み取り、その読み取った情報を制御手段４２へ送信する。
【００３８】
制御手段４２は、前記改札通信手段３４から受信した前記非接触券、非接触端末の乗車券類の情報から、定期券であれば利用可能区間が適しているか否かの判断、プリペイドカードであれば乗車区間に対応する最低料金が確保されているか否か等の判断を行い、入場若しくは乗車が可能であると判断し、さらに入場した情報を書き込むための命令の信号を改札通信手段３５に出力し、正常に処理が終了したか否かの判断を行い入場が可能であると判断すると、制御手段４２が開閉駆動手段３３に開閉部材を開状態に保つように命令信号を出力する。さらに集札通信手段３５へ集札の通信を禁止する命令信号を出力する。さらに集札側の磁気券集札手段３２の投入口２３への乗車券類の投入の禁止のための開閉手段を閉じる制御と、集札禁止の警告を表示手段にて行う制御を行う。
他方、乗車券類が利用可能区間でない場合と、プリペイドカードで残金が引き落とすべき金額に満たない等の場合は入場若しくは乗車が可能でないと判断すると、制御手段４２が開閉駆動手段３３に開閉部材を閉状態にするように命令信号を出力する。
【００３９】
つまり改札・集札手段３０が実行する改札の機能とは、双方向型自動改札・集札装置２０に入場しようとする者から投入される乗車券類に対し、その乗車券類が使用可能であるか否かを判別して、その判別結果に基づき入場させるか若しくは入場させないかを行う機能である。
【００４０】
又、双方向型自動改札・集札装置２０の集札機能を以下に簡単に説明する。先ず出場側の投入口２３に乗車券類を投入すると、乗車券類の投入を検出した磁気券集札手段３２の検出手段の情報を制御手段４２に送信し、その情報により制御手段４２は磁気券集札手段３２の搬送手段を制御して磁気券読取り手段へ乗車券類を搬送するように磁気券集札手段３２を制御する命令信号を出力する。さらに改札側の磁気券改札手段３１の投入口２１への乗車券類の投入の禁止のための開閉手段を閉じる制御と、改札禁止の警告を表示手段にて行う制御を行い、さらに改札通信手段３４に非接触券との通信を禁止する制御を行う。
【００４１】
磁気券集札手段３２の搬送手段は、前記制御手段４２からの制御命令に従い、投入口２３から磁気券読取り手段へ乗車券類を搬送する。さらに改札側の開閉手段は投入口２１を閉じ、表示手段は改札禁止の警告を行い、改札通信手段３４は、非接触券との通信を行わないように作用する。
【００４２】
磁気券集札手段３２の磁気券読取り手段は、搬送手段により搬送されてきた前記乗車券類の情報を読み取り、その読み取った乗車券情報を制御手段４２へ送信する。
【００４３】
制御手段４２は、前記磁気券読取り手段３２から受信した前記乗車券類の情報から、定期券であれば利用可能区間が適しているか否かの判断、プリペイドカードであれば乗車区間の料金を記憶手段４３から読み出し、前記乗車券類の残金の情報から前記乗車区間の料金を引き落とし可能ならば引き落とす演算を演算手段４１にて行い、その演算結果である新たな残金情報を乗車券類に書き込む命令の信号を磁気券読取り手段に出力し、正常に処理が終了したか否かの判断を行い出場が可能であると判断すると、制御手段４２が開閉駆動手段３３に開閉部材を開状態に保つように命令信号を出力する。他方、料金が不足するなどして出場が可能でないと判断すると、制御手段４２が開閉駆動手段３３に開閉部材を閉状態にして前記利用者用通路を閉塞し、且つその乗車券類では出場は出来ない旨の警告をチャイム若しくはスピーカー若しくは表示手段にて行うための命令信号を出力する。
従って、出場しようとして出場側の投入口２３に投入された切符が出場可能のものであると判断されると、制御手段４２が双方向型自動改札・集札装置２０の本体内に備えられた切符収集箱（図示省略）に集めるための制御をする命令信号を出力する。定期券の場合は、取出口に排出させる命令信号を出力する。他方、出場しようとして出場側の投入口２３に投入された切符が出場不可能のものであると判断されると、その切符は取出口から排出され、料金精算のために使われる。
【００４４】
同様に、双方向型自動改札・集札装置２０に無線通信手段を備えた非接触券、非接触端末の乗車券類を、集札通信手段３５のアンテナ２４に接近若しくは接触させると、その接近又は接触された非接触券の乗車券類の内容を集札通信手段３５が読み取り、その読み取った情報を制御手段４２へ送信する。
【００４５】
制御手段４２は、集札通信手段３５から受信した前記非接触券の乗車券類の情報から、定期券であれば利用可能区間における利用か否かの判断、プリペイドカードであれば乗車区間の料金を記憶手段４３から読み出し、前記乗車券類の残金の情報から前記乗車区間の料金を引き落とし可能ならば引き落とす演算を演算手段４１にて行い、その演算結果である新たな残金情報を乗車券類に書き込む命令の信号を集札通信手段３５に出力し、正常に処理が終了したか否かの判断を行い出場が可能であると判断すると、制御手段４２が開閉駆動手段３３に開閉部材を開状態に保つように命令信号を出力する。さらに改札通信手段３４へ改札の通信を禁止する命令信号を出力する。
他方、定期券が利用可能区間でない場合、プリペイドカードで残金が引き落とすべき金額に満たない場合は、前述と同様に料金精算を求めるために、制御手段４２が開閉駆動手段３３に前記開閉部材を閉状態にして前記利用者用通路を閉塞し、料金精算の必要をその乗客に知らせるように構成されている。
【００４６】
つまり改札・集札手段３０が実行する集札の機能とは、双方向型自動改札・集札装置２０に出場しようとする者から投入される乗車券類に対し、その乗車券類が使用可能であるか否か、利用区間に対して料金の支払いが適正か否かを判別して、その判別結果に基づき出場させるか若しくは出場させないかを行う機能である。
【００４７】
上記のように構成された双方向型自動改札・集札システム１０にて、次のような設定例であるものとする。それぞれの双方向型自動改札・集札装置２０は、一分間に約３０人の改札処理若しくは集札処理が可能な装置であるものとする。
従って、一分間に約３０人の処理が可能であるため１０秒当たり５人の処理が一台の双方向型自動改札・集札装置にて可能であるものとする。（以後５人/１０秒として記述する）
【００４８】
又、本実施例では集中制御手段８０は、集中通信手段７０から受信した改札処理若しくは集札処理を行ったそれぞれの双方向型自動改札・集札装置からの入場者数の合計及び出場者数の合計とを１０秒間隔で算出するものとする。
【００４９】
先ず入場者と出場者の人数は、およそ大きな差が無い場合の動作例を説明する。例えば双方向型自動改札・集札システム１０の入場者の合計は一分間当たり６５人/分＝１０.８人/１０秒、出場者の合計は６０人/分＝１０人/１０秒、であった場合の実施例を図４のフローチャートに従い説明する。従ってこの実施例は、入場者と出場者の比率から改札を実行する双方向型自動改札・集札装置と集札を実行する双方向型自動改札・集札装置との比率は、３対３として入場者、出場者共に、一分間当たり最大９０人の処理が可能な双方向型自動改札・集札システムの動作例である。
【００５０】
それぞれの双方向型自動改札・集札装置２０、２０Ａ、２０Ｂ、２０Ｃ、２０Ｄ及び２０Ｅのそれぞれの改札・集札制御手段４０、４０Ａ、４０Ｂ、４０Ｃ、４０Ｄ及び４０Ｅは、改札処理若しくは集札処理を行ったことにより得られた入場者数と出場者数の情報を、接続されているそれぞれの通信手段５０、５０Ａ、５０Ｂ、５０Ｃ、５０Ｄ及び５０Ｅに送信する。（Ｓ１０）
【００５１】
それぞれの通信手段５０、５０Ａ、５０Ｂ、５０Ｃ、５０Ｄ及び５０Ｅは、それぞれの前記改札・集札制御手段４０、４０Ａ、４０Ｂ、４０Ｃ、４０Ｄ及び４０Ｅから受信した前記入場者数と出場者数の情報を、集中制御装置６０の集中通信手段７０に送信する。（Ｓ２０）
【００５２】
集中通信手段７０は、それぞれの前記通信手段５０、５０Ａ、５０Ｂ、５０Ｃ、５０Ｄ及び５０Ｅから受信した前記入場者数と出場者数の情報を、集中制御手段８０の制御手段１００に送信する。（Ｓ３０）
【００５３】
制御手段１００は、前記集中通信手段７０から受信したそれぞれの前記入場者数と出場者数の情報を基に、入場者数の合計と出場者数の合計を一定の時間間隔で算出する。尚、一定の時間間隔の１０秒とは、制御手段１００が備える時計手段により１０秒間隔を知ることが可能である。従って、本実施例の算出結果として１０秒間隔での利用者の入場者数の合計と出場者数の合計が得られるため、その入場者数の合計と出場者数の合計との比率を、演算手段９０を制御して求める。結果、現在改札を実行している装置からの入場者数の合計は、１０.８人/１０秒の情報が得られる。一方集札を実行している装置からの出場者数の合計は、１０人/１０秒である情報が得られる。つまり、入場者数が１０.８人/１０秒、出場者の人数は１０人/１０秒であり、ほぼ１（入場者数）対１（出場者）である情報が得られる。（Ｓ４０）
さらに制御手段１００は、前記１０秒間隔での前記入場者数の合計と出場者数の合計とその比率からなる比率情報を、記憶手段１１０に記憶するための制御の命令と前記比率情報と算出した年月日と時間と曜日とを記憶手段１１０に送信する。
【００５４】
記憶手段１１０は、制御手段１００からの命令を実行し前記比率情報と算出した年月日と時間と曜日との情報を記憶する。
【００５５】
さらに制御手段１００は、前記１０秒間隔で算出された利用者の入場者数の合計と出場者数の合計と、現在改札を実行している装置の処理可能な最大人数の合計と集札を実行している装置の処理可能な最大人数の合計とを比較し、改札側及び集札側共に利用者数は処理可能な範囲であるため現在の改札を行う双方向型自動改札・集札装置の台数と集札を行う双方向型自動改札・集札装置の台数は現在の比率と同一で良いと判断する。（Ｓ５０）
【００５６】
従って、制御手段１００は、現在の改札と集札の比率と同一である双方向型自動改札・集札装置２０、２０Ａ及び２０Ｂの３台が改札を行い、双方向型自動改札・集札装置２０Ｃ、２０Ｄ及び２０Ｅの３台が集札を行う制御情報を、それぞれの双方向型自動改札・集札装置２０、２０Ａ、２０Ｂ、２０Ｃ、２０Ｄ及び２０Ｅのそれぞれの改札・集札制御手段４０、４０Ａ、４０Ｂ、４０Ｃ、４０Ｄ及び４０Ｅへ送信するための制御情報を、集中通信手段７０に送信する。（Ｓ６０）
【００５７】
集中通信手段７０は、制御手段１００から受信した前記制御情報を、それぞれの通信手段５０、５０Ａ、５０Ｂ、５０Ｃ、５０Ｄ及び５０Ｅに、送信する。（Ｓ７０）
【００５８】
それぞれの通信手段５０、５０Ａ、５０Ｂ、５０Ｃ、５０Ｄ及び５０Ｅは、前記集中通信手段７０から受信した前記制御情報を、それぞれの改札・集札制御手段４０、４０Ａ、４０Ｂ、４０Ｃ、４０Ｄ及び４０Ｅに送信する。（Ｓ８０）
【００５９】
それぞれの改札・集札制御手段４０、４０Ａ、４０Ｂ、４０Ｃ、４０Ｄ及び４０Ｅは、それぞれの通信手段５０、５０Ａ、５０Ｂ、５０Ｃ、５０Ｄ及び５０Ｅから受信した前記制御情報に基づき、それぞれの改札・集札手段３０、３０Ａ、３０Ｂ、３０Ｃ、３０Ｄ及び３０Ｅの、改札を実行するか集札を実行するかを制御する。
従って、双方向型自動改札・集札装置２０と双方向型自動改札・集札装置２０Ａと双方向型自動改札・集札装置２０Ｂの３台が改札を実行し、双方向型自動改札・集札装置２０Ｃと双方向型自動改札・集札装置２０Ｄと双方向型自動改札・集札装置２０Ｅの３台が集札を実行する様に制御される。（Ｓ９０）
【００６０】
結果、利用者の入場者数と出場者数の比率と、改札を行う双方向型自動改札・集札装置の台数と集札を行う双方向型自動改札・集札装置の台数との比率はほぼ等しく、出場者の処理若しくは入場者の処理はほぼ等しい比率で処理される。
【００６１】
次に上記の状態から、入場者数が一時的に一分間当たり１２０人/分＝２０人/１０秒に増加した場合の実施例を図５のフローチャートに従い説明する。
【００６２】
それぞれの双方向型自動改札・集札装置２０、２０Ａ、２０Ｂ、２０Ｃ、２０Ｄ及び２０Ｅのそれぞれの改札・集札制御手段４０、４０Ａ、４０Ｂ、４０Ｃ、４０Ｄ及び４０Ｅは、改札処理若しくは集札処理を行ったことにより得られた入場者数と出場者数の情報を、接続されているそれぞれの通信手段５０、５０Ａ、５０Ｂ、５０Ｃ、５０Ｄ及び５０Ｅに送信する。（Ｓ１１０）
【００６３】
それぞれの通信手段５０、５０Ａ、５０Ｂ、５０Ｃ、５０Ｄ及び５０Ｅは、それぞれの前記改札・集札制御手段４０、４０Ａ、４０Ｂ、４０Ｃ、４０Ｄ及び４０Ｅから受信した前記入場者数と出場者数の情報を、集中制御装置６０の集中通信手段７０に送信する。（Ｓ１２０）
【００６４】
集中通信手段７０は、それぞれの前記通信手段５０、５０Ａ、５０Ｂ、５０Ｃ、５０Ｄ及び５０Ｅから受信した前記入場者数と出場者数の情報を、集中制御手段８０の制御手段１００に送信する。（Ｓ１３０）
【００６５】
制御手段１００は、集中通信手段７０から受信した前記入場者数と出場者数の情報を基に、利用者の入場者数と出場者数を一定の時間間隔で算出すると、現在改札を実行している装置からの入場者数の合計は、２０人/１０秒に一時的に増加した情報が得られる。一方集札を実行している装置からの出場者数の合計は、１０人/１０秒である情報が得られる。
つまり、入場者数が２０人/１０秒、出場者数は１０人/１０秒であり、４（入場者数）対２（出場者）の比率である情報が得られる。（Ｓ１４０）
さらに制御手段１００は、前記１０秒間隔での前記入場者数の合計と出場者数の合計とその比率である比率情報を、記憶手段１１０に記憶するための制御の命令と前記比率情報と算出した年月日と時間と曜日とを記憶手段１１０に送信する。
【００６６】
記憶手段１１０は、制御手段１００からの命令を実行し前記比率情報と算出した年月日と時間と曜日との情報を記憶する。
【００６７】
さらに制御手段１００は、前記１０秒間隔で算出された利用者の入場者数の合計と出場者数の合計とその比率から、利用者の入場者数と出場者数の差が大きくなり、現在改札を実行している装置の処理可能な最大人数の合計と集札を実行している装置の処理可能な最大人数の合計に対し、集札側の利用者数は処理可能な最大人数には達していなので処理可能人数に余裕が有るが、改札側は処理可能な最大人数を越えていて、且つ、前記１０秒間隔で算出された利用者の入場者数の合計と出場者数の合計との比率と、改札を行う双方向型自動改札・集札装置の台数と集札を行う双方向型自動改札・集札装置の台数との比率とを比較して、それらが不一致（不適当）であるため集札を実行する双方向型自動改札・集札装置を減らし改札を実行する双方向型自動改札・集札装置を増やすことを判断する。（Ｓ１５０）
【００６８】
制御手段１００は、前記１０秒間隔で算出された利用者数の情報から判断した結果に基づき、それぞれの改札・集札手段３０、３０Ａ、３０Ｂ、３０Ｃ、３０Ｄ及び３０Ｅを制御するための制御情報を、集中通信手段７０に送信する。制御手段１００は制御情報として、利用者の入場者数と出場者数は２０対１０＝４対２であるため、双方向型自動改札・集札装置２０と双方向型自動改札・集札装置２０Ａと双方向型自動改札・集札装置２０Ｂと双方向型自動改札・集札装置２０Ｃの４台が改札を行い、双方向型自動改札・集札装置２０Ｄと双方向型自動改札・集札装置２０Ｅの２台が集札を行うための制御情報を送信する。（Ｓ１６０）
【００６９】
集中通信手段７０は、前記制御手段１００から受信した前記制御情報を、それぞれの双方向型自動改札・集札装置２０、２０Ａ、２０Ｂ、２０Ｃ、２０Ｄ及び２０Ｅのそれぞれの通信手段５０、５０Ａ、５０Ｂ、５０Ｃ、５０Ｄ及び５０Ｅに送信する。（Ｓ１７０）
【００７０】
それぞれの通信手段５０、５０Ａ、５０Ｂ、５０Ｃ、５０Ｄ及び５０Ｅは、前記集中通信手段７０から受信した前記制御情報を、それぞれの改札・集札制御手段４０、４０Ａ、４０Ｂ、４０Ｃ、４０Ｄ及び４０Ｅに送信する。（Ｓ１８０）
【００７１】
それぞれの改札・集札制御手段４０、４０Ａ、４０Ｂ、４０Ｃ、４０Ｄ及び４０Ｅは、それぞれの通信手段５０、５０Ａ、５０Ｂ、５０Ｃ、５０Ｄ及び５０Ｅから受信した前記制御情報に基づき、それぞれの改札・集札手段３０、３０Ａ、３０Ｂ、３０Ｃ、３０Ｄ及び３０Ｅの改札を実行するか集札を実行するかを択一的に制御する。
従って、双方向型自動改札・集札装置２０と双方向型自動改札・集札装置２０Ａと双方向型自動改札・集札装置２０Ｂと双方向型自動改札・集札装置２０Ｃの４台が改札を実行し、双方向型自動改札・集札装置２０Ｄと双方向型自動改札・集札装置２０Ｅの２台が集札を実行する様に制御される。（Ｓ１９０）
【００７２】
結果、利用者の入場者数と出場者数との比率と、改札を行う双方向型自動改札・集札装置の台数と集札を行う双方向型自動改札・集札装置の台数との比率が近づき、入場者の処理と出場者の処理は、ほぼ等しい比率で処理される。
従って一時的に利用者の人数が変化しても、速やかに改札を行う双方向型自動改札・集札装置の台数と、集札を行う双方向型自動改札・集札装置の台数を利用者の入場者数と出場者数との比率の近づけて、一方の処理の滞りが発生しない様に作用する。
【００７３】
尚、ここで、上述した一定の時間間隔とは、本発明の双方向型自動改札・集札システムを使用する際に、任意に設定する時間の間隔を言い、具体的には、双方向型自動改札・集札装置の処理時間、利用者の流れや混み具合等によって適宜設定するのが望ましい。
従って実施例にて制御手段１００は、入場者数と出場者数の情報を基に、利用者の入場者数と出場者数を一定の時間間隔である１０秒間隔で算出しているが、本発明が限定される物ではなく１０秒間隔以外の時間間隔や一定でない可変な時間間隔で利用者の人数を算出しても同様な効果は得られる。
【００７４】
又、集中制御装置６０の制御手段１００が、複数の双方向型自動改札・集札装置からの情報に基づき利用者の入場者数と出場者数の比率を算出しているが本発明が限定される物ではなく、それぞれの双方向型自動改札・集札装置にて一定の時間間隔で算出した情報を集中制御装置６０へ送信しても同様な効果は得られる。
【００７５】
さらに集中制御装置６０の制御手段１００が、複数の双方向型自動改札・集札装置からの情報に基づき利用者の入場者数と出場者数の比率を算出しているが本発明が限定される物ではなく、入場者数と出場者数を一定の時間間隔で計測可能な手段からの計測情報に基づき入場者数と出場者数の比率を算出し、その算出結果を基に双方向型自動改札・集札装置の改札若しくは集札の機能を択一的に制御しても同様な効果は得られる。
例えば動画像を撮影するテレビカメラ手段と、その撮影した画像中の人物の数の検出する画像認識手段と、その検出した人物がどちらの方向に動いているかを示す動きベクトルを検出する動きベクトル検出手段と、を備えた入場者数と出場者数とを検出する入出場者数検出手段を備え、その入出場者数検出手段が検出した入場者数と出場者数との情報を基に、複数の双方向型自動改札・集札装置の内の改札手段を作用させて改札を行うか若しくは集札手段を作用させて集札を行うかをそれぞれ制御することを特徴とする集中制御装置でも同様な効果は得られる。
【産業上の利用可能性】
【００７６】
本説明では、電車等の改札と集札を最も効率良く処理することが可能になり、利用者の滞りを減少させることが可能な双方向型自動改札・集札制御システムに利用が可能であるが、これ以外の入場と出場の様に双方向の利用が可能で且つ入場者数と出場者数が時間帯等により変化することがあり、さらにそれぞれに入場と出場の処理を行う処理装置があるものにも利用可能である。例えば遊園地、テーマパーク等の入場と出場や、複数のエレベータが設置された場合の上りの動作の台数と下りの動作の台数の制御等にも利用可能である。
【図面の簡単な説明】
【００７７】
【図１】本発明に係る実施の形態例の双方向型自動改札・集札システムのブロック図である。
【図２】本発明に係る双方向型自動改札・集札システムの実施の形態例の双方向型自動改札・集札装置を示す斜視図である。
【図３】本発明に係る双方向型自動改札・集札システムの実施の形態例の双方向型自動改札・集札装置の構成を説明するブロック図である。
【図４】本発明に係る双方向型自動改札・集札システムの実施の形態例の３対３の比率を保持する場合の動作を説明するフローチャートである。
【図５】本発明に係る双方向型自動改札・集札システムの実施の形態例の４対２の比率に切り替わる場合の動作を説明するフローチャートである。
【図６】本発明に係る他の実施の形態例の構成を説明する図１相当図である。
【符号の説明】
【００７８】
１０    双方向型自動改札・集札制御システム
１０Ａ  双方向型自動改札・集札制御システム
２０    双方向型自動改札・集札装置
２０Ａ  双方向型自動改札・集札装置
２０Ｂ  双方向型自動改札・集札装置
２０Ｃ  双方向型自動改札・集札装置
２０Ｄ  双方向型自動改札・集札装置
２０Ｅ  双方向型自動改札・集札装置
２０Ｎ  双方向型自動改札・集札装置
２１    投入口
２２    アンテナ手段
２３    投入口
２４    アンテナ手段
２５    開閉部材
２６    開閉部材
３０    改札・集札手段
３０Ａ  改札・集札手段
３０Ｂ  改札・集札手段
３０Ｃ  改札・集札手段
３０Ｄ  改札・集札手段
３０Ｅ  改札・集札手段
３０Ｎ  改札・集札手段
３１    磁気券改札手段
３２    磁気券集札手段
３３    開閉駆動手段
３４    改札通信手段
３５    集札通信手段
４０    改札・集札制御手段
４０Ａ  改札・集札制御手段
４０Ｂ  改札・集札制御手段
４０Ｃ  改札・集札制御手段
４０Ｄ  改札・集札制御手段
４０Ｅ  改札・集札制御手段
４０Ｎ  改札・集札制御手段
４１    演算手段
４２    制御手段
４３    記憶手段
５０    通信手段
５０Ａ  通信手段
５０Ｂ  通信手段
５０Ｃ  通信手段
５０Ｄ  通信手段
５０Ｅ  通信手段
５０Ｎ  通信手段
６０    集中制御装置
７０    集中通信手段
８０    集中制御手段
９０    演算手段
１００  制御手段
１１０  記憶手段
【図１】
2006072862.tif 000003
【図２】
2006072862.tif 000004
【図３】
2006072862.tif 000005
【図４】
2006072862.tif 000006
【図５】
2006072862.tif 000007
【図６】
2006072862.tif 000008